(57)【要約】【課題】クリップ４の挟持片４ｂを筒状部材２の側面に対して離間および接近させることを可能にすると同時に、クリップ基部４ａと頭端部材３との間の隙間Ｓを狭め隙間Ｓが目立たない状態にすることや、隙間Ｓを拡げることでクリップ基部４ａと頭端部材３とが接触しない状態にすることができる可動式クリップ付きの筆記具を提供する。【解決手段】頭端部材３の内天面に、クリップ基部４ａの凸部４ｅの上端が摺動する弧線状の摺動溝３ｃを、摺動溝３ｃの内側が連結軸６方向に位置するように、且つ摺動溝３ｃを、前端部に設けた最深部３ｄから終端部に設けた最浅部３ｅに向かって漸次浅くなるように形成し、連結軸６に対し摺動溝３ｃの最浅部３ｅを最深部３ｄより離して形成し、連結軸６の軸部６ｂをクリップ基部４ａの下方に配したコイルスプリング７に挿通し、クリップ基部４ａの上面に設けた凸部４ｅを頭端部材３の摺動溝３ｃに当接させた。【選択図】図４
2009248425.tif 000002
【特許請求の範囲】
【請求項１】
連結軸を介して頭端部材と筒状部材とを相対的に回動可能に連結すると共に、クリップ基部の一端側から前記筒状部材の側面に沿って挟持片を垂設したクリップを、前記頭端部材と筒状部材との間に当該クリップ基部を配して装着し、前記頭端部材を前記筒状部材に対して前記連結軸の軸心周りに回動させることにより、前記クリップの挟持片を前記筒状部材の側面に対して離間および接近させる構造の可動式クリップ付きの筆記具であって、前記クリップ基部に、一端側から他端側の方向に長手を有する長孔状の貫通孔を形成すると共に、該クリップ基部の上面に前記貫通孔より一端側で上方へ突出する凸部を設け、  前記頭端部材の内天面に、前記クリップ基部の凸部の上端が摺動する弧線状の摺動溝を、該摺動溝の内側が前記連結軸方向に位置するように、且つ該摺動溝を、前端部に設けた最深部から終端部に設けた最浅部に向かって漸次浅くなるように形成すると共に、前記連結軸に対し当該摺動溝の最浅部を最深部より離して形成し、前記連結軸の軸部を前記クリップ基部の下方に配したコイルスプリングに挿通し、当該コイルスプリングの弾発力により前記クリップ基部を上方へ弾発することで、前記クリップ基部の上面に設けた凸部を前記頭端部材の摺動溝に当接させ、前記クリップの挟持片が前記筒状部材の側面に接近した状態で前記頭端部材を回動することにより、前記頭端部材の摺動溝にて前記クリップ基部の凸部を該摺動溝の最深部から最浅部へ摺動させて、前記クリップの挟持片を前記筒状部材の側面から離間させると共に、前記クリップ基部を下方へ押し下げ、当該クリップ基部と前記頭端部材との上下方向の隙間を拡げ、前記クリップの挟持片が前記筒状部材の側面から離間した状態で前記頭端部材を回動することにより、前記コイルスプリングの弾発力により前記クリップ基部を上方へ押し上げながら、前記頭端部材の摺動溝にて前記クリップ基部の凸部を該摺動溝の最浅部から最深部へ摺動させて、前記クリップの挟持片を前記筒状部材の側面に接近させると共に、当該クリップ基部と前記頭端部材との上下方向の隙間を狭める構造としたことを特徴とする可動式クリップ付きの筆記具。
【請求項２】
請求項１に記載の可動式クリップ付きの筆記具であって、前記頭端部材の内天面に形成した摺動溝の最深部と最浅部の双方に、前記クリップ基部に形成した凸部の上端が係止する係止凹部を設けたことを特徴とする。
【発明の詳細な説明】
【技術分野】
【０００１】
本発明は、筒状部材と頭端部材との間にクリップ基部を配し、頭端部材を筒状部材に対して回動することで、クリップ基部から筒状部材の側面に沿って垂設した挟持片を、筒状部材の側面に対して離間および接近させる構造の可動式クリップ付きの筆記具に関する。
【背景技術】
【０００２】
従来より、筆記具の軸筒本体やキャップ本体などの筒状部材の側面から突出させたクリップの挟持片を、必要に応じ、軸筒本体やキャップ本体などの筒状部材の側面に対して近づけることが可能である可動式クリップ付きの筆記具はよく知られている。例えば実開昭６３−１００２９０号公報には、軸胴と軸胴内に備えたガイド筒を相対的に回動させることにより、内部に設けたカム機構がクリップ基部に作用し、クリップの挟持片が軸胴の側面に対して接近と離間を行える可動式クリップ構造が記載されている。
【０００３】
尚、一般的な可動式のクリップ構造では、筆記具の軸筒やキャップ本体などの筒状部材と頭冠や尾冠などの頭端部材との間にクリップ基部を配して装着してあることから、クリップを開いて胸ポケットの縁などの被挟持物を挟み込む場合には、頭端部材とクリップ基部とが擦れないことが好ましく、特に部材に金属を使用した場合には、双方が接触することによる接触音や接触摩耗が生じないようにすることが求められている。しかしながら従来の可動式クリップ構造では、クリップが筒状部材の軸心方向に対して直交する方向、つまりクリップの挟持片が、筒状部材の側面に対して近づくか離れるかの動作しか行うことができないことから、クリップ基部と頭端部材との間の隙間を広くして双方が接触しないようにするか、あるいはクリップの挟持片に軟らかい材質を用いたり、挟持片を弾性変形しやすい形状に設定するなどして、挟持片を持ち上げた際にクリップ基部が頭端部材に接触してしまわないように注意を払う必要があった。
【特許文献１】「実開昭６３−１００２９０号公報」
【発明の開示】
【発明が解決しようとする課題】
【０００４】
しかし、クリップ基部と頭端部材との間の隙間が常に広く開いていることは、見栄えが悪く、またクリップの挟持片の材質や形状に限定を与えてしまうことは、コスト面やデザイン面に影響を及ぼすという問題が生じていた。
【０００５】
本発明はこうした問題を鑑みて、クリップの挟持片を筒状部材の側面に対して離間および接近させることが可能であると同時に、クリップ基部と頭端部材との間の隙間を狭め隙間が目立たない状態にすることや、クリップ基部と頭端部材との間の隙間を拡げることでクリップ基部と頭端部材とが接触しない状態にすることができる可動式クリップ付きの筆記具を提供することを目的とする。
【課題を解決するための手段】
【０００６】
本発明は、
「１．連結軸を介して頭端部材と筒状部材とを相対的に回動可能に連結すると共に、クリップ基部の一端側から前記筒状部材の側面に沿って挟持片を垂設したクリップを、前記頭端部材と筒状部材との間に当該クリップ基部を配して装着し、前記頭端部材を前記筒状部材に対して前記連結軸の軸心周りに回動させることにより、前記クリップの挟持片を前記筒状部材の側面に対して離間および接近させる構造の可動式クリップ付きの筆記具であって、前記クリップ基部に、一端側から他端側の方向に長手を有する長孔状の貫通孔を形成すると共に、該クリップ基部の上面に前記貫通孔より一端側で上方へ突出する凸部を設け、  前記頭端部材の内天面に、前記クリップ基部の凸部の上端が摺動する弧線状の摺動溝を、該摺動溝の内側が前記連結軸方向に位置するように、且つ該摺動溝を、前端部に設けた最深部から終端部に設けた最浅部に向かって漸次浅くなるように形成すると共に、前記連結軸に対し当該摺動溝の最浅部を最深部より離して形成し、前記連結軸の軸部を前記クリップ基部の下方に配したコイルスプリングに挿通し、当該コイルスプリングの弾発力により前記クリップ基部を上方へ弾発することで、前記クリップ基部の上面に設けた凸部を前記頭端部材の摺動溝に当接させ、前記クリップの挟持片が前記筒状部材の側面に接近した状態で前記頭端部材を回動することにより、前記頭端部材の摺動溝にて前記クリップ基部の凸部を該摺動溝の最深部から最浅部へ摺動させて、前記クリップの挟持片を前記筒状部材の側面から離間させると共に、前記クリップ基部を下方へ押し下げ、当該クリップ基部と前記頭端部材との上下方向の隙間を拡げ、前記クリップの挟持片が前記筒状部材の側面から離間した状態で前記頭端部材を回動することにより、前記コイルスプリングの弾発力により前記クリップ基部を上方へ押し上げながら、前記頭端部材の摺動溝にて前記クリップ基部の凸部を該摺動溝の最浅部から最深部へ摺動させて、前記クリップの挟持片を前記筒状部材の側面に接近させると共に、当該クリップ基部と前記頭端部材との上下方向の隙間を狭める構造としたことを特徴とする可動式クリップ付きの筆記具。
２．１項に記載の可動式クリップ付きの筆記具であって、前記頭端部材の内天面に形成した摺動溝の最深部と最浅部の双方に、前記クリップ基部に形成した凸部の上端が係止する係止凹部を設けたことを特徴とする。」である。
【０００７】
本発明の筒状部材とは、筆記具の軸筒やキャップ等の中空の筒状である部材のことをいい、頭端部材とは筒状部材の先端側にある頭冠のことだけでなく、後端側にあるいわゆる尾冠のことも含むものであり、要は筆記具の長手方向におけるクリップが装着してある側の端部にある部材のことをいう。また、クリップ基部に設ける凸部は、クリップ基部と一体に形成しても別体で設けてもよいが、特にクリップの挟持片を金属で形成する場合には、成形のしやすさや、頭端部材に設ける摺動溝との摺動性をよくするためにも、樹脂材により別体で成形してクリップ基部に取り付けた方がよい。
また、クリップ基部に設ける貫通孔を、一端側から他端側の方向に長手を有した長孔状とするのは、軸心となる連結軸に対し、クリップ基部を一端側方向と他端側方向に往復動可能とさせる隙間を設けるためである。また、摺動溝は、円弧や楕円弧あるいは不定形の弧線としてもよいが、クリップ基部に設けた凸部との摺動性を阻害しない径寸法を選定することが肝要である。
【発明の効果】
【０００８】
前述の通り本発明の可動式クリップ付きの筆記具は、頭端部材を回動することにより、クリップの挟持片を筒状部材の側面に対しては接近および離間させることができ、クリップの挟持片が筒状部材の側面から離間した状態では、クリップ基部と頭端部材との間の隙間が拡がり、挟持片で物を挟む際に、持ち上げたクリップのクリップ基部が頭端部材に直接接触してしまうことを防止できる。また、クリップの挟持片が筒状部材の側面に接近した状態では、クリップ基部と筒状部材との間の隙間が狭まり見栄えが良くなる。
さらに、頭端部材の内天面に形成した摺動溝の最深部と最浅部の双方に、クリップ基部に形成した凸部の上端が係止する係止凹部を設けることで、使用者が頭端部材を回動させた際に、凸部が係止凹部に係止した時の感触によりクリップの状態を明確に認識することができるものとなる。
【発明を実施するための最良の形態】
【０００９】
筒状部材の側面に対するクリップの挟持片の軸心に直交する方向の変位と同時に、頭端部材に対するクリップ基部の軸心に沿った方向の変位を可能とする構造の可動式クリップ構造を実現した。
【実施例】
【００１０】
次に図面を参照しながら本実施例の説明を行う。本実施例では外形が四角形状のキャップ本体の先端部に頭冠を配し、該頭冠とキャップ本体との間にクリップ基部を配して、キャップ本体の側面にクリップ基部より垂設した挟持片を配した構造の筆記具用キャップについて説明するが、本発明は以下の実施例に限定されるものではない。図中の同じ部材、同じ部品については、同じ符号としてある。尚、本実施例の説明においては、頭端部材のある側を上方と表現し反対側を下方と表現する。またクリップの挟持片がある側を一端と表現し、反対側を他端と表現する。
【００１１】
図１は本実施例のキャップの斜視図である。キャップ１は、四角い筒状のキャップ本体２の上方部に、同じく四角い頭冠３を配し、キャップ本体２と頭冠３との間にクリップ本体４０のクリップ基部４ａを配し、クリップ基部４ａの一端側より垂設した挟持片４ｂをキャップ本体２の側面２０に沿わせるようにクリップ４を装着してある。また詳細は後述するが、頭冠３を回動することにより、クリップ４の挟持片４ｂがキャップ本体２の側面２０に対して離間および接近する構造であり、本実施例ではクリップ４の挟持片４ｂがキャップ本体２の側面２０に対してさらに接近できるように、キャップ本体２の側面２０に開口窓２ａを設けて、挟持片４ｂの一部が開口窓２ａに没入できる構造としてある。図２は図１の状態の頭冠を右回りに９０度回動（図１における矢印Ａ方向）させた状態の図で、クリップ本体４０の挟持片４ｂを開口窓２ａから突出させ、挟持片４ｂをキャップ本体２の側面２０から離間させた状態の図である。尚、本実施例の頭冠３の上面には目印Ｍを設けて、頭冠３の回転状態を解りやすくしてある。
【００１２】
次に図３〜図５を用いて、本実施例のキャップの内部構造について説明を行う。
図３は本実施例のキャップの縦断面図で、図４は図３の要部拡大図で、図５はキャップの分解斜視図である。キャップ１は、上端開口部２ｂ、下端開口部２ｃを有するキャップ本体２の内部に内筒５を圧入してある。キャップ本体２の上端開口部２ｂの一端側は、側面２０に形成した開口窓２ａと連接させており、クリップ４の挟持片４ｂおよびクリップ基部４ａがＬ字形に収まるようにしてある。また内筒５の上部には一端側から他端側に長手を有する切欠窓５ａを設けてあり、該切欠窓５ａを挟んで相対向する一対の保持壁５ｂ，５ｃを、前記キャップ本体２の上端開口部２ｂに挿通し、前記頭冠３に設けた凹部３ａに係止する膨出部５ｄとして上方に突設させている。
【００１３】
図４にて詳細を示すように、内筒５の上部には内方へ膨出する段部５ｅを設けてあり、段部５ｅの下面には、キャップ本体２と頭冠３とを連結する連結軸６の下方に設けた鍔部６ａが当接できるようにしてある。また、連結軸６には鍔部６ａから上方へ垂設した軸部６ｂを設けてあり、軸部６ｂの上端に形成した雄螺子部６ｃを、頭冠３の内天面に設けた円形状の凹部３ａに形成した雌螺子部３ｂに螺合させ一体としている。したがって頭冠３は連結軸６により、内筒５を介してキャップ本体２と連結してあり、頭冠３を回動させた際には連結軸６を回転軸にして回動する構造である。
【００１４】
次に図４ならびに図６，図７を用いて、本実施例のクリップについて詳述を行う。図６は本実施例のクリップを分解した状態の図で、関係を解りやすくするためコイルスプリングおよび連結軸を記載してある。図７はクリップに連結軸を挿通した状態の図である。
図６に示すように本実施例では、クリップ４をクリップ本体４０とピン部材８とで構成してある。またクリップ本体４０は、クリップ基部４ａの一端側より挟持片４ｂを下方に垂設してあり、クリップ基部４ａには一端側から他端側に長手を有する長孔状の貫通孔４ｃを形成してあり、該貫通孔４ｃより一端側には円形状の取付孔４ｄを設けてある。また、ピン部材８は、上端部８ａと下端部８ｂとの中間部に鍔部８ｃを形成してあり、前記クリップ基部４ａの取付孔４ｄの上方より下端部８ｂを挿着し、鍔部８ｃがクリップ基部４ａの上面に当接するまで圧入固定して、ピン部材８の上端部８ａをクリップ基部４ａの上面より突出させた凸部４ｅとした（図７参照）。
また、図４に示すようにクリップ４は、クリップ基部４ａにコイルスプリング７の上端を当接させ、コイルスプリング７に挿通した連結軸６の軸部６ｂを、クリップ基部４ａの貫通孔４ｃに挿通してある。
図８はクリップ本体の挟持片がキャップ本体の側面に接近した時のクリップと内筒との関係を解りやすくした状態の図である。図に示すようにクリップ基部４ａは、内筒５に形成した保持壁５ｂ，５ｃの間に回転不能で摺動可能に配置してある。
【００１５】
次に図４ならびに図９を用いて、本実施例の頭冠とクリップとの関係について詳述を行う。図９は図１の状態における頭冠をキャップ本体から外した時の平面視で、頭冠の摺動溝を概念的に破線で示してある。
図４に示すように、頭冠３の凹部３ａに形成した摺動溝３ｃは、図９で示すところの連結軸６を中心とした０度から９０度の範囲で放射状の破線のハッチングで示した部分であり、最深部３ｄである０度の位置が最も連結軸６に近く、最浅部３ｅである９０度の位置が最も連結軸６から離れ、連結軸６側に内側を向けた円弧状の溝としてある。また本実施例では、最深部３ｄと最浅部３ｅの箇所にクリップ基部４ａの凸部４ｅの上端が係止する円形状の係止凹部３ｇ，３ｆを設けてある。尚、図４，図９の状態は、クリップ基部４ａの凸部４ｅが頭冠３の摺動溝３ｃの最深部３ｄに形成した係止凹部３ｆに係止されており、最も連結軸６に近い位置にあることから、図４に示すようにコイルスプリング７に弾発されたクリップ基部４ａと頭冠３の下端部との上下方向の隙間は狭められ、クリップ４の挟持片４ｂがキャップ本体２の側面２０に接近して挟持片４ｂの一部が開口窓２ａに没入した状態である。
【００１６】
次に、図２に示したように、クリップ本体４０の挟持片４ｂが、キャップ本体２の側面２０から離間する時の内部機構について図１０〜図１３を用いて詳述を行う。
図１０は図２の状態におけるキャップの縦断面図で、図１１は図１０の要部拡大図で、図１２はクリップと内筒との関係を解りやすくした状態の図である。図１３は図２の状態における頭冠をキャップ本体から外した時の平面視で、頭冠の摺動溝を概念的に破線で示してある。
【００１７】
本実施例の筆記具用キャップ１は、図１３に示すように、頭冠３を図１の状態から右回りに回動（図１における矢印Ａ方向）することにより、頭冠３の内天面に形成した摺動溝３ｃが連結軸６を回転軸に回動して、摺動溝３ｃに沿ってクリップ基部４ａの凸部４ｅが摺動溝３ｃの最浅部３ｅに設けた係止凹部３ｇに係止された状態となり、図１１に示すように、クリップ４の挟持片４ｂがキャップ本体２の側面２０から離間すると共にクリップ基部４ａを下方に変位させて、クリップ基部４ａと頭冠３の下端部との間を拡げ、隙間Ｓを形成する。
したがって、図１４に示すように、クリップ４の挟持片４ｂを開く際においては、頭冠３の摺動溝３ｃの最浅部３ｅに設けた係止凹部３ｇに係止したクリップ基部４ａの凸部４ｅが支点となり、隙間Ｓが狭まることで、クリップ基部４ａが頭冠３の下端部に接触することなく、挟持片４ｂを持ち上げることができた。
また反対に、図２に示すキャップ１の頭冠３を左回りに９０度回動（矢印Ｂ方向）させることにより、クリップ本体４０の挟持片４ｂは図１の状態となる。
【００１８】
尚、本実施例では、クリップ本体４０および頭冠３を金属で形成してあるが、ピン部材８は樹脂成形してあり、またピン部材８の上端部８ａの先端を半球状に丸めてあることから、頭冠３を回動させる際およびクリップを開く際においてピン部材８の上端部８ａと頭冠３の摺動溝３ｃとの摺動性がよいものとなった。
【産業上の利用可能性】
【００１９】
本発明による可動式クリップ構造は筆記具以外にも、化粧具や塗布具等のクリップ構造に用いることが可能である。
【図面の簡単な説明】
【００２０】
【図１】本実施例のキャップの斜視図である。
【図２】図１の状態の頭冠を右回りに９０度回動させた状態の図である。
【図３】本実施例のキャップの縦断面図である。
【図４】図３の要部拡大図である。
【図５】キャップの分解斜視図である。
【図６】本実施例のクリップを分解した状態の図で、関係を解りやすくするためコイルスプリングおよび連結軸を記載してある。
【図７】クリップを組み立てた状態の図である。
【図８】クリップ本体の挟持片がキャップ本体の側面に接近した時のクリップと内筒との関係を解りやすくした状態の図である。
【図９】図１の状態における頭冠をキャップ本体から外した時の平面視で、頭冠の摺動溝を概念的に破線で示してある。
【図１０】図２の状態におけるキャップの縦断面図である。
【図１１】図１０の要部拡大図である。
【図１２】クリップ本体の挟持片がキャップ本体の側面から離間した時のクリップと内筒との関係を解りやすくした状態の図である。
【図１３】図２の状態における頭冠をキャップ本体から外した時の平面視で、頭冠の摺動溝を概念的に破線で示してある。
【図１４】クリップを開いた状態の図である。
【符号の説明】
【００２１】
１…キャップ、
２…キャップ本体、２ａ…開口窓、２ｂ…上端開口部、２ｃ…下端開口部、
２０…側面、
３…頭冠、３ａ…凹部、３ｂ…雌螺子部、３ｃ…摺動溝、３ｄ…最深部、
３ｅ…最浅部、３ｆ…係止凹部、３ｇ…係止凹部、
４…クリップ、４０…クリップ本体、４ａ…クリップ基部、４ｂ…挟持片、
４ｃ…貫通孔、４ｄ…取付孔、４ｅ…凸部、
５…内筒、５ａ…切欠窓、５ｂ…保持壁、５ｃ…保持壁、５ｄ…膨出部、
５ｅ…段部、５ｆ…貫通孔、
６…連結軸、６ａ…鍔部、６ｂ…軸部、６ｃ…雄螺子部、
７…コイルスプリング、
８…ピン部材、８ａ…上端部、８ｂ…下端部、８ｃ…鍔部、Ｓ…隙間。
【図１】
2009248425.tif 000003
【図２】
2009248425.tif 000004
【図３】
2009248425.tif 000005
【図４】
2009248425.tif 000006
【図５】
2009248425.tif 000007
【図６】
2009248425.tif 000008
【図７】
2009248425.tif 000009
【図８】
2009248425.tif 000010
【図９】
2009248425.tif 000011
【図１０】
2009248425.tif 000012
【図１１】
2009248425.tif 000013
【図１２】
2009248425.tif 000014
【図１３】
2009248425.tif 000015
【図１４】
2009248425.tif 000016